(57)【要約】      （修正有）【課題】床や天井を撤去することなく、低コストで、工事期間を短縮化でき、そのうえ大きな補強効果を得ることができる木造部材の補強用の改良された筋交いを提供する。【解決手段】炭素繊維、繊維強化プラスチック、ステンレスまたは鋼材から形成された帯状体１Ｂと、高強度繊維織物と、該高強度繊維織物に包み込まれた剛性の高い棒状体Ｌとからなり、前記帯状体Ｌを木造構造物に連結するための連結部とからなり、前記連結部が、帯状体Ｌの両端のそれぞれに接着剤層Ａを介して固着される固着領域１Ｃｃと、該固着領域１Ｃｃに隣接した可動領域１Ｃｂと、該可動領域１Ｃｂに隣接し、前記木造構造物に埋め込まれるアンカー領域１Ｃａとを含み、前記アンカー領域１Ｃａに接着剤層Ａを介して棒状体Ｌが固着されてなることを特徴とする。【選択図】図８
0003149161.tif 000002
【実用新案登録請求の範囲】
【請求項１】
炭素繊維、繊維強化プラスチック、ステンレスまたは鋼材から形成された帯状体と、
高強度繊維織物と、該高強度繊維織物に包み込まれた剛性の高い棒状体とからなり、前記帯状体を木造構造物に連結するための連結部とからなり、
前記連結部が、
前記帯状体の両端のそれぞれに接着剤層を介して固着される固着領域と、
該固着領域に隣接した可動領域と、
該可動領域に隣接し、前記木造構造物に埋め込まれるアンカー領域と
を含み、
前記アンカー領域に接着剤層を介して前記棒状体が固着されてなる
ことを特徴とする木造部材の補強用の筋交い。
【請求項２】
前記棒状体が金属または高強度繊維強化プラスチックである請求項１記載の木造部材の補強用の筋交い。
【請求項３】
前記帯状体を木造構造物に連結するための連結部が高強度繊維織物で例えば、アラミド繊維、ＰＢＯ繊維、超高分子量ポリエチレン繊維、高強度ＰＶＡ繊維、ポリアリレート繊維からなる請求項１または２記載の木造部材の補強用の筋交い。
【考案の詳細な説明】
【技術分野】
【０００１】
本考案は、改良された筋交いに関する。
【背景技術】
【０００２】
建物は地震や強風によって生じる水平力に抵抗するために、柱や梁で構成される軸組みに、壁等の面材あるいは筋かい等の斜材を取付ける。筋かいは木材あるいは棒状の鋼材を用いることが一般的である。水平力を受けて軸組みが変形しようとするとき、筋かいには大きな圧縮力あるいは引張力が生じる。したがって筋かい材に木材を用いる際には一定以上の大きさの断面を持つ部材（幅と厚みが大きい部材）が必要となる。鋼材は木材より強度が高いので比較的小さな断面で良いが、腐食（錆び）の問題や木造建物で鋼材を使用することへの抵抗感からあまり使用されていない。
【０００３】
筋かい材の部材断面は、より小さいほうが内装材や外装材と干渉しにくくなるので都合が良い。増して、既存建物の場合には部材断面が小さいことが特に有益となる。そこで、木材の約３０倍、鋼材の約１０倍の強度を持ち、部材断面を小さくすることが可能な炭素繊維強化プラスチックを用いた筋かいが考案されている。
【０００４】
炭素繊維強化プラスチックは、繊維の配向方向には高い強度を示すが、繊維と直交方向においては強度を期待できない。したがって一方向に繊維を収束した炭素繊維強化プラスチックを釘やネジで固定すると、応力が生じたときには釘やネジから受ける支圧で容易に割裂するという問題がある。これを解決するために支圧を受ける部分に繊維方向が直交する炭素繊維強化プラスチックを積層して割裂を防止する方法が考案されている（実願２００８−８２６９）。
【０００５】
前項の端部をネジ止めタイプの筋かいは、軸組み部材の前面に炭素繊維強化プラスチック帯板をネジ止めするので、真壁構造の和室においては壁と炭素繊維強化プラスチック帯板に間隔が生じ、意匠性（美観）を低下させる問題がある。また、隅柱への取付けには特別な金物を介して行わなければならず、費用が大きくなる。
【考案の開示】
【考案が解決しようとする課題】
【０００６】
炭素繊維強化プラスチック、ステンレスまたは鋼材からなる帯板（帯状体）を用いた筋かいの取付け方法（軸組みへの応力伝達方法）を改良して、筋かいとしての機能（強度）を向上させる。
【０００７】
炭素繊維強化プラスチック、ステンレスまたは鋼材からなる帯板（帯状体）を用いた筋かいの取付け方法（軸組みへの応力伝達方法）を改良して、隅柱への取付けを容易にする。
【０００８】
木造構造物の補強に用いられる筋交いは、木造建築物の土台と桁（梁）とを結ぶように取り付ける。筋交いはこのように取り付ければ、大きな補強効果が得られる一方で、既存建物に取り付けるためには、外壁または室内の床や天井等の撤去と復旧が必要になり、工事費がかさみ、工事期間も長くなるという問題がある。本考案は、外壁や室内の床や天井を撤去することなく、低コストで、工事期間を短縮化でき、そのうえ一定以上の補強効果を得ることができる木造部材の補強用の改良された筋交いを提供することを目的とする。
【課題を解決するための手段】
【０００９】
本考案の木造部材の補強用の筋交いは、炭素繊維等の繊維強化プラスチック、ステンレスまたは鋼材から形成された帯状体と、高強度繊維織物と、該高強度繊維織物に包み込まれた剛性の高い棒状体とからなり、前記帯状体を木造構造物に連結するための連結部とからなり、前記連結部が、前記帯状体の両端のそれぞれに接着剤層を介して固着される固着領域と、該固着領域に隣接した可動領域と、該可動領域に隣接し、前記木造構造物に接着剤を介して埋め込まれるアンカー領域とを含み、前記アンカー領域に接着剤層を介して前記棒状体が固着されてなることを特徴としている。
【００１０】
前記棒状体が一定以上の剛性を有する金属または高強度繊維強化プラスチックであることが好ましい。
【００１１】
前記高強度繊維織物が、アラミド繊維、ＰＢＯ繊維、超高分子量ポリエチレン繊維、高強度ＰＶＡ繊維、ポリアリレート繊維からなることが好ましい。
【考案の効果】
【００１２】
本考案によれば既存建物の補強を、床や天井を撤去することなく、低コストで、工事期間を短縮化でき、一定以上の補強効果を得ることができる木造部材の補強用の改良された筋交いを提供することができる。
【考案を実施するための最良の形態】
【００１３】
本考案の木造部材の補強用の筋交い（以下、単に「筋交い」という）について、添付図面を参照しながら以下に詳細に説明する。
【００１４】
図１は本考案の筋交いの木造建築構造への適用例を示す説明図、図２は図１の筋交いの適用例の部分詳細図、図３は本考案の筋交いを柱と壁とを有する木造建築構造に適用した例を示す上面説明図、図４は図１の筋交いを土台と桁（梁）に取付けた説明図、図５は本考案の筋交いの構造の概略説明図、図６は本考案の筋交いを示す正面説明図、図７は図６の筋交いの背面説明図、図８は本考案の筋交いの断面説明図である。
【００１５】
図１〜８を参照すると、本実施の形態の筋交い１は、炭素繊維等の繊維強化プラスチック、ステンレスまたは鋼材から形成された帯状体１Ｂと、高強度繊維織物１Ｃと、該高強度繊維織物１Ｃに包み込まれた剛性の高い棒状体Ｌと、前記帯状体１Ｂを木造構造物（２、３、４、５）に連結するための高強度繊維織物製の連結部１Ｃとから構成されている。本考案の筋交いの高強度繊維織物には、たとえば、アラミド繊維、ＰＢＯ繊維、超高分子量ポリエチレン繊維、高強度ＰＶＡ繊維、ポリアリレート繊維が好適に採用される。
【００１６】
図５〜８を参照すると、本考案の筋交い１は、帯状体１Ｂの両端に、帯状体１Ｂの幅とほぼ同一の幅（Ｗ）約５０ｍｍ×長さ（Ｈ）約２５０ｍｍ×厚さ約１〜２ｍｍの略長方形状の高強度繊維織物１Ｃを約５０〜１００ｍｍの重複長さ（Ｓ）だけ接着剤層Ａを介して重ね合わせたのち固着されている。そして、図７に示されるように、長さ約８０〜１３０ｍｍの剛性の高い棒状体Ｌを帯状体１Ｂから約４０ｍｍだけ離間せしめて可動領域１Ｃｂを画定し、接着剤層Ａを介して高強度繊維織物１Ｃに包み込んで、剛性の高い棒状体Ｌを高強度繊維織物１Ｃに固着させる。
【００１７】
剛性の高い棒状体Ｌとして、外面に螺子が刻設されたもの（図８の（ａ））のみならず外面に螺子が刻設されていないもの（図８の（ｂ））が好適に採用される。そして剛性の高い棒状体Ｌの素材としては、たとえば鉄やステンレス等の金属材料のほか、アラミド繊維強化プラスチック、炭素繊維強化プラスチック等の合成樹脂材料も採用することができる。
【００１８】
このようにして、本実施の形態では、高強度繊維織物製の連結部１Ｃは、帯状体１Ｂの両端のそれぞれに接着剤層Ａを介して固着される固着領域１Ｃｃと、該固着領域１Ｃｃに隣接した可動領域１Ｃｂと、該可動領域１Ｃｂに隣接し、前記木造構造物（２、３、４、５）に埋め込まれる長さ約８０〜１３０ｍｍのアンカー領域１Ｃａ（図７参照）とから構成され、アンカー領域１Ｃａには、接着剤層Ａを介して剛性の高い棒状体Ｌが固着されている。
【００１９】
帯状体１Ｂの厚さは、０．８〜２．０ｍｍの範囲のものが好適に採用される。接着剤層Ａの材料としては、たとえばエポキシ樹脂やメチルメタクリル樹脂、ビニルエステル樹脂、不飽和ポリエステル樹脂、フェノール樹脂等を採用することができる。
【００２０】
ドリルで隣り合う２本の柱３ａ、３ｂ（図１参照）の上部と下部に孔を開けたのち、図２〜３に示されるように、本考案の筋交い１のアンカー領域１Ｃａを隣り合う２本の柱３にＸ字上に挿入し、エポキシ樹脂で固着しておくと、帯板１Ｂが１５６ｋＮ／ｍｍ2以上のヤング係数と２４００Ｎ／ｍｍ2以上の引張強度を有し、高強度繊維織物１Ｃも７０ｋＮ／ｍｍ2以上のヤング係数（原糸）と６８０Ｎ／ｍｍ2以上（織物）の引張強度を有するため地震の際に発生する木造構造の変形を抑制することができる。図３に示されるように、筋交い１の帯状体１Ｂを壁Ｐに接するように施工できるので、室内の利便性や意匠性を損なわない。
【００２１】
本実施の形態には、図４に示されるような、隣り合う２本の柱３それぞれの上方の天井の位置Ｃｈより上に位置する梁（桁）５と、隣り合う２本の柱３それぞれの下方の床板の位置Ｆｈより下に位置する土台２とに、筋交い１のアンカー領域１ＣａをＸ字状に挿入し、固着したものも含まれる。
【００２２】
本考案の筋交い１は、本考案者が別途提案している金属棒あるいは炭素繊維または繊維強化プラスチックから形成された棒状体Ｃ（実願２００８−７４２３号）と相俟って、図１に示された位置Ｆｈに設けられる床板上に配設された畳等の床材を剥がす必要がなく、柱３ａ、３ｂの脚部と土台２との接合強度が向上して柱３が土台２から抜けることが防止され、筋交い１も床板上に配設された畳を剥がすことなく、畳の上方に筋交い１の下端部にアンカー領域１Ｃａを挿入して柱３の脚部に取り付け、筋交い１の上端部を、隣り合う柱３ａ、３ｂの頭部に取り付けることが可能になるという利点がある。このようにＸ字状に交差する２つの筋交い１を柱３ａ、３ｂに取り付けて適用すると、柱３と土台２と梁５とから構成される木造構造は水平力を受けても変形しにくくなり、耐震性が向上する。
【図面の簡単な説明】
【００２３】
【図１】本考案の筋交いの木造建築構造への適用例を示す説明図である。
【図２】図１の筋交いの適用例の部分詳細図である。
【図３】本考案の筋交いを柱と壁とを有する木造建築構造に適用した例を示す上面説明図である。
【図４】図１の筋交いの適用例の変形例を示す説明図である。
【図５】本考案の筋交いの構造の概略説明図である。
【図６】本考案の筋交いを示す正面説明図である。
【図７】図６の筋交いの背面説明図である。
【図８】本考案の筋交いの断面説明図である。
【符号の説明】
【００２４】
１  筋交い
１Ｂ  帯状体（帯板）
１Ｃ  高強度繊維織物（連結部）
１Ｃａ  アンカー領域
１Ｃｂ  可動領域
１Ｃｃ  固着領域
２  土台
３、３ａ、３ｂ  柱
４  鴨居
５  梁（桁）
Ａ  接着剤層
Ｌ  棒状体
Ｐ  壁
【図１】
0003149161.tif 000003
【図２】
0003149161.tif 000004
【図３】
0003149161.tif 000005
【図４】
0003149161.tif 000006
【図５】
0003149161.tif 000007
【図６】
0003149161.tif 000008
【図７】
0003149161.tif 000009
【図８】
0003149161.tif 000010